(57)【要約】【課題】便器本体側に設けられた一次コイル及び暖房便座に設けられた二次コイルに相互誘導を生じさせることで暖房便座に内蔵したヒータへ給電する暖房便座付き便器において、便器本体及び暖房便座を特殊な形状にさせないようにする。【解決手段】一次コイル４ａが便器本体２の上面側開口周縁部２ａに設けられる。二次コイル４ｂが暖房便座３の足部３ｂ−１に設けられる。便座３の伏倒時に両コイル４ａ，４ｂが上下方向で対向して近接する。【選択図】図２
2009178412.tif 000002
【特許請求の範囲】
【請求項１】
便器本体と、ヒータが内蔵され便器本体に対して仰伏自在な暖房便座と、固定側に設けられた一次コイル及び便座に設けられた二次コイルを有する給電装置とを備え、便座伏倒時に両コイルが近接して両コイルに相互誘導を生じさせることでヒータへ給電する暖房便座付き便器において、一次コイルが便器本体の上面側開口周縁部に設けられ、二次コイルが便座の非着座面側となる裏面部に設けられ、便座伏倒時に両コイルが上下方向に対向することを特徴とする暖房便座付き便器。
【請求項２】
前記二次コイルが前記暖房便座の足部に設けられた請求項１記載の暖房便座付き便器。
【発明の詳細な説明】
【技術分野】
【０００１】
本発明は、便器本体側となる固定側と仰伏自在な暖房便座を電気コードで接合しない電磁誘導給電式の暖房便座付き便器に関するものである。
【背景技術】
【０００２】
従来、電磁誘導給電式の暖房便座付き便器は、便器本体と、ヒータを内蔵し便器本体に対して仰伏自在な暖房便座と、固定側となる便器本体の側方へ突出した操作ボックスに設けられた一次コイル及び移動側となる便座の側方へ突出した便座突出部に設けられた二次コイルを有する給電装置とを備え、便座伏倒時に両コイルが近接して両コイルに相互誘導を生じさせることでヒータへ給電するようになっている（特許文献１の図１５）。
【特許文献１】特許第３５９６５６４号公報
【発明の開示】
【発明が解決しようとする課題】
【０００３】
しかし、前記暖房便座付き便器は、一次コイルを設ける操作ボックスを便器本体の側方へ突出させると共に、二次コイルを設ける便座突出部を便座の側方へ突出させた特殊な便器構造に限定されるため設計上の制限が多い問題がある。
【０００４】
本発明は、上記問題を解決するために、便器本体及び便座の各側方へ突出部を突出させた構造に限定されることのない暖房便座付き便器の提供を目的とする。
【課題を解決するための手段】
【０００５】
便器本体及び便座の各側方へ突出部を突出させた構造に限定されないようにするために請求項１記載の本発明が採用した手段は、便器本体と、ヒータが内蔵され便器本体に対して仰伏自在な暖房便座と、固定側に設けられた一次コイル及び便座に設けられた二次コイルを有する給電装置とを備え、便座伏倒時に両コイルが近接して両コイルに相互誘導を生じさせることでヒータへ給電する暖房便座付き便器において、一次コイルが便器本体の上面側開口周縁部に設けられ、二次コイルが便座の非着座面側となる裏面部に設けられ、便座伏倒時に両コイルが上下方向に対向することを特徴とする暖房便座付き便器である。
【０００６】
二次コイルを容易に設けられるようにするために請求項２記載の本発明が採用した手段は、前記二次コイルが前記暖房便座の足部に設けられた請求項１記載の暖房便座付き便器である。
【発明の効果】
【０００７】
請求項１記載の本発明に係る暖房便座付き便器は、便器本体の上面側開口周縁部に一次コイルが設けられ、便座の非着座面側となる裏面部に二次コイルが設けられるため、便器本体及び便座の各側方へ突出部を突出させた構造に限定されることがなくなり、一次コイル及び二次コイルを設けるための設計上の制限を緩和させることができる。
【０００８】
請求項２記載の本発明に係る暖房便座付き便器は、便座の足部を利用して二次コイルを容易に設けることができる。
【発明を実施するための最良の形態】
【０００９】
本発明に係る暖房便座付き便器（以下、「本発明便器」と言う。）を図面に示す実施の形態に基づいて説明する。
【００１０】
図１乃至図１１は本発明便器の実施の形態を示すものである。図１は暖房便座を伏倒させ便器本体の下側部分を省略した左側側面図、図２は図１中の二点鎖線イで囲まれた部分を拡大した側面図である。図３は一次コイルの配設に関する第１の態様及び二次コイルの配設に関する第１の態様を示す斜視図、図４は同態様の要部を拡大して手前側から見た断面図である。図５は一次コイルの配設に関する第２の態様及び二次コイルの配設に関する第１の態様を示す斜視図、図６は同態様の要部を拡大して手前側から見た断面図である。図７は、一次コイルの配設に関する第３の態様及び二次コイルの配設に関する第１の態様を示す斜視図であり、図（Ａ）は暖房便座を伏倒させた状態を示し、図（Ｂ）は暖房便座を起立させた状態を示す。図８は、同態様の要部を拡大して手前側から見た断面図である。図９は、一次コイルの配設に関する第４の態様及び二次コイルの配設に関する第１の態様の要部を拡大して手前側から見た断面図である。図１０は、一次コイルの配設に関する第３の態様及び二次コイルの配設に関する第２の態様を示す斜視図である。図１１は、一次コイルの配設に関する第３の態様及び二次コイルの配設に関する第３の態様を示すものであって、図（Ａ）は斜視図であり、図（Ｂ）は要部を拡大して手前側から見た断面図である。
【００１１】
本発明便器１は、便器本体２の上面側の奥側に設けられた便座ボックス６と、便座ボックス６に仰伏自在に取付けられヒータ３ａが内蔵された暖房便座３と、ヒータ３ａへ給電する給電装置４と、便座ボックス６に仰伏自在に取付けられた便蓋５とを備える。給電装置４は、便座ボックス６に内蔵され便所の電源コンセント（図示略）に接続された制御回路（図示略）と、便器本体２に設けられた一次コイル４ａと、暖房便座３に設けられた二次コイル４ｂとを有し、便座３が伏倒して使用者が着座可能な便座伏倒時に両コイル４ａ，４ｂの近接で両コイル４ａ，４ｂに相互誘導を生じさせてヒータ３ａへ給電し、暖房便座３を温めるようにしてある。本発明便器１は、一次コイル４ａが便器本体２の上面側開口周縁部２ａ（リム部）に設けられると共に、二次コイル４ｂが便座３の非着座面側となる裏面部に設けられ、便座伏倒時に両コイル４ａ，４ｂを上下方向で対向した状態で近接させることができる便器本体２及び便座３の部位に両コイル４ａ，４ｂが設けられている。
【００１２】
一次コイル４ａを便器本体２の上面側開口周縁部２ａに設ける態様としては、以下に説明する四つの一次コイル配設態様がある。第１の態様は、図３及び図４に示す如く、便鉢を形成する下側部材１０及び下側部材１０の上面１０ａに載設したコイル配設部材８を一体化して便器本体２を形成し、便器本体２の上面側開口周縁部２ａを形成するコイル配設部材８に一次コイル４ａを設けてある。コイル配設部材８は、樹脂素材で成型され、内側に形成したコイル収納部７に一次コイル４ａを収納するか、図示は省略するが、内側に一次コイル４ａを直接埋め込む等して一次コイル４ａを設けてある。便器本体２は、図３に示す如く、コイル配設部材８の平面形状を下側部材１０の上面１０ａと略同一の形状である馬蹄形とし、コイル配設部材８及び下側部材１０の側面どうし８ａ，１０ｂを面一にして外観を良好となるようにしてある。この態様では、一次コイル４ａは、コイル配設部材８に内蔵された配線１１、コイル配設部材８の端側に設けられたコネクタ部８ｂ、及び、便座ボックス６に設けたコネクタ部６ａを介して便座ボックス６内の制御回路に通電接続される。この態様では、下側部材１０が陶器や樹脂素材で成型される。
【００１３】
一次コイル配設態様に関する第２の態様は、図５及び図６に示す如く、陶器や樹脂素材で成型した便器本体２の上面側開口周縁部２ａにコイル収納部２ａ−１を凹設し、コイル収納部２ａ−１に一次コイル４ａを収納したものである。この態様では、コイル収納部２ａ−１の開口部から一次コイル４ａを挿入して、コイル収納部２ａ−１の開口部を底板１４で水密に覆ってある。一次コイル４ａは、コネクタ部１２ａ及び配線１２を介して便座ボックス６内の制御回路に通電接続される。
【００１４】
一次コイル配設態様に関する第３の態様は、図７及び図８に示す如く、樹脂素材から成型した便器本体２の上面側開口周縁部２ａに一次コイル４ａを直接埋め込んだものである。この態様では、一次コイル４ａから上面側開口周縁部２ａの外側へ延長した配線１２を便座ボックス６内の制御回路に通電接続する。
【００１５】
一次コイル配設態様に関する第４の態様は、図９に示す如く、樹脂素材から成型した便器本体２の上面側開口周縁部２ａの下面側に一次コイル４ａを貼着等して配置したものである。この態様では、一次コイル４ａから上面側開口周縁部２ａの外側へ延長した配線１２を便座ボックス６内の制御回路に通電接続する。
【００１６】
また、二次コイル４ｂを暖房便座３に設ける態様としては、以下に説明する三つの二次コイル配設態様がある。第１の態様は、図３〜図９に示す如く、暖房便座３の足部３ｂ−１に二次コイル４ｂを内蔵し、便座伏倒時に暖房便座３の足部３ｂ−１を、一次コイル４ａが設けられた便器本体２の上面側開口周縁部２ａに当接させることで、両コイル４ａ，４ｂを近接させて給電効率を高めるようにしてある。この態様は、図４、図６、図８及び図９に示す如く、樹脂製の足部３ｂ−１に設けたコイル収納部９に二次コイル４ｂを挿入して、コイル収納部２ａ−１の開口部を樹脂製の底板１５で水密に覆蓋して二次コイル４ｂを収納したり、図示は省略するが、足部３ｂ−１の内側に二次コイル４ｂを直接埋め込んだりしてある。
【００１７】
二次コイル配設態様に関する第２の態様は、図１０に示す如く、暖房便座３の裏面側に、足部３ｂ，３ｂの間で樹脂製の突出部１６を暖房便座３と一体に設け、突出部１６に二次コイル４ｂを収納したものである。突出部１６は、足部３ｂよりも背丈寸法を短くすることで、便座伏倒時に便器本体２の上面側開口周縁部２ａとの接触を回避して使用者の荷重を受けないようになっている。突出部１６は、内側に形成したコイル収納部（図示略）に二次コイル４ｂを収納するようにしたり、二次コイル４ｂを内側に直接埋め込んだりする。
【００１８】
二次コイル配設態様に関する第３の態様は、図１１に示す如く、暖房便座３の底板３ｃの裏面側を足部のない略平面状に形成し、二次コイル４ｂを暖房便座３の底板３ｃに載設したものであり、便座伏倒時に底板３ｃを便器本体２の上面側開口周縁部２ａに当接させることで両コイル４ａ，４ｂを近接させて給電効率を高めるようにしてある。
【００１９】
なお、一次コイルの配設に関する第１〜第４の態様及び二次コイルの配設に関する第１〜３の態様は、図３〜図１１に図示された組合せ以外に、任意に組合せすることが可能であり、例えば、一次コイルの配設に関する第１の態様と二次コイルの配設に関する第２の態様を組合わせたり、一次コイルの配設に関する第４の態様と二次コイルの配設に関する第３の態様を組合わせたりすることもある。
【００２０】
前記一次コイル４ａ及び二次コイル４ｂは、各々に磁心４ａ−１，４ｂ−１が設けられ、便座伏倒時に両磁心４ａ−１，４ｂ−１を接近させて給電効率を良好にしてある。一次コイル４ａ及び二次コイル４ｂは、それぞれ１個ずつ設けてあるが、これに限らず、それぞれ複数個ずつ設けることもある。
【００２１】
本発明便器１は、便座ボックス６から暖房便座３を分離できるようにして、暖房便座３や便座ボックス６の清掃性を高めるようにすることもある。また、暖房便座３は、内蔵したヒータ３ａ及び二次コイル４ｂ等の電気部品に水を接触させないように防水構造にして、丸洗いできるようにすることもある。
【００２２】
本発明便器１は、便器本体２及び便座３の各側方へコイル配設用突出部を突出させた構造に限定されることがなくなり、一次コイル４ａ及び二次コイル４ｂを設けるための設計上の制限を緩和させることができる。また、本発明便器１は、便座伏倒時に両コイル４ａ，４ｂが確実に近接するので、給電効率が低下しないようにできる。更に、本発明便器１は、便器本体２の上面側開口周縁部２ａに一次コイル４ａを設けるための空間を充分に確保すること、及び便座３の非着座面側となる裏面部に二次コイル４ｂを設けるための空間を充分にすることが可能であるため、ヒータ３ａへの給電を円滑にできる最適な大きさの両コイル４ａ，４ｂを簡単に設けることができる。
【図面の簡単な説明】
【００２３】
【図１】本発明便器の実施の形態を示すものであって、暖房便座を伏倒させ便器本体の下側部分を省略した左側側面図である。
【図２】同実施の形態において、図１中の二点鎖線イで囲まれた部分を拡大した側面図である。
【図３】同実施の形態において、一次コイルの配設に関する第１の態様及び二次コイルの配設に関する第１の態様を示す斜視図である。
【図４】同実施の形態において、同態様の要部を拡大して手前側から見た断面図である。
【図５】同実施の形態において、一次コイルの配設に関する第２の態様及び二次コイルの配設に関する第１の態様を示す斜視図である。
【図６】同実施の形態において、同態様の要部を拡大して手前側から見た断面図である。
【図７】同実施の形態において、一次コイルの配設に関する第３の態様及び二次コイルの配設に関する第１の態様を示す斜視図であり、図（Ａ）は暖房便座を伏倒させた状態を示し、図（Ｂ）は暖房便座を起立させた状態を示す。
【図８】同実施の形態において、同態様の要部を拡大して手前側から見た断面図である。
【図９】同実施の形態において、一次コイルの配設に関する第４の態様及び二次コイルの配設に関する第１の態様の要部を拡大して手前側から見た断面図である。
【図１０】同実施の形態において、一次コイルの配設に関する第３の態様及び二次コイルの配設に関する第２の態様を示す斜視図である。
【図１１】同実施の形態において、一次コイルの配設に関する第３の態様及び二次コイルの配設に関する第３の態様を示すものであって、図（Ａ）は斜視図であり、図（Ｂ）は要部を拡大して手前側から見た断面図である。
【符号の説明】
【００２４】
１…本発明便器  ２…便器本体  ２ａ…上面側開口周縁部  ３…暖房便座  ３ａ…ヒータ  ３ｂ−１…足部  ４…給電装置  ４ａ…一次コイル  ４ｂ…二次コイル
【図１】
2009178412.tif 000003
【図２】
2009178412.tif 000004
【図３】
2009178412.tif 000005
【図４】
2009178412.tif 000006
【図５】
2009178412.tif 000007
【図６】
2009178412.tif 000008
【図７】
2009178412.tif 000009
【図８】
2009178412.tif 000010
【図９】
2009178412.tif 000011
【図１０】
2009178412.tif 000012
【図１１】
2009178412.tif 000013